(57)【要約】【課題】像担持体上の放電生成物等の付着物の除去が、新たに待ち時間を長くすることなく、充分に行なわれ、小型で低コストで、高品質の画像形成が行なわれる画像形成装置を提供する。【解決手段】複数の作像ユニットを順次に配列して複数のトナー画像を作像する作像手段１と、上記作像手段で作像されたトナー画像が転写手段１ｅで回動可能に保持されて中間転写される中間転写体２と、上記中間転写体を選択して特定した作像ユニット１ａの回転する像担持体１ｂに接離させる中間転写体接離手段３と、上記中間転写体接離手段が選択して特定した上記作像ユニット１ａの作像中に他の上記作像ユニットの上記像担持体上の付着物を除去する付着物除去手段４とからなる。【選択図】図１
2008282043.tif 000002
【特許請求の範囲】
【請求項１】
電子写真方式による複数の作像ユニットを順次に配列してトナー画像を形成する画像形成装置において、複数の作像ユニットを順次に配列して複数のトナー画像を作像する作像手段と、上記作像手段で作像されたトナー画像が転写手段で回動可能に保持されて中間転写される中間転写体と、上記中間転写体を選択して特定した作像ユニットの回転する像担持体に接離させる中間転写体接離手段と、上記中間転写体接離手段が選択して特定した上記作像ユニットの作像中に他の上記作像ユニットの上記像担持体上の付着物を除去する付着物除去手段とからなることを特徴とする画像形成装置。
【請求項２】
請求項１に記載の画像形成装置において、中間転写体接離手段は、作像ユニットからブラック作像ユニットを選択して特定することを特徴とする画像形成装置。
【請求項３】
請求項１に記載の画像形成装置において、中間転写体接離手段は、作像ユニットからマゼンタ作像ユニットを選択することを特徴とする画像形成装置。
【請求項４】
請求項１に記載の画像形成装置において、中間転写体接離手段は、作像ユニットからシアン作像ユニットを選択することを特徴とする画像形成装置。
【請求項５】
請求項１に記載の画像形成装置において、中間転写体接離手段は、作像ユニットからイエロー作像ユニットを選択することを特徴とする画像形成装置。
【請求項６】
請求項１、２、３、４又は５に記載の画像形成装置において、中間転写体接離手段は、上記中間転写体を選択する作像ユニットの像担持体に押圧する押圧部材からなることを特徴とする画像形成装置。
【請求項７】
請求項１、２、３、４、５又は６に記載の画像形成装置において、付着物除去手段は、上記中間転写体接離手段の選択した上記作像ユニットの作像中に他の上記作像ユニットの像担持体を回転させて、回転する上記像担持体上に現像手段で所定量のトナーを供給して付着させた後に、上記像担持体上の付着物をクリーニング手段によって除去することを特徴とする画像形成装置。
【請求項８】
請求項項７に記載の画像形成装置において、他の作像ユニットの現像手段のトナーの所定の供給量は、クリーニング手段のクリーニングブレードのめくれが生じない程度であることを特徴とする画像形成装置。
【請求項９】
請求項項１、２、３、４、５、６、７又は８に記載の画像形成装置において、付着物除去手段は、上記中間転写体接離手段の選択した上記作像ユニットの作像中に他の上記作像ユニットの帯電器の帯電バイアス印加をオフにすることを特徴とする画像形成装置。
【請求項１０】
請求項項１、２、３、４、５、６、７、８又は９に記載の画像形成装置において、付着物除去手段は、像担持体の回転速度を、作像時の回転速度に対して変更することを特徴とする画像形成装置。
【請求項１１】
請求項１、２、３、４、５、６、７、８、９又は１０に記載の画像形成装置において、付着物除去手段は、作像ユニットの最終の作像が終了して、少なくとも像担持体に放電生成物が付着するまでの所定時間の経過した後に付着物の除去を行なうことを特徴とする画像形成装置。
【請求項１２】
請求項１乃至１１の何れか一項に記載の画像形成装置において、付着物除去手段は、上記中間転写体接離手段の選択した作像ユニットの作像時間に対して、他の作像ユニットの像担持体上の付着物を除去する付着物除去時間が同じ又は短い時に、上記像担持体上の付着物を除去することを特徴とする画像形成装置。
【発明の詳細な説明】
【技術分野】
【０００１】
本発明は、画像形成装置に関し、詳しくは、電子写真方式による複数の作像ユニットを順次に配列してトナー画像を形成する複写機、ファクシミリ装置、プリンタあるいはこれらの複合機等の画像形成装置に関する。
【背景技術】
【０００２】
電子写真画像形成装置では、市場からの要求にともない、カラー複写機やカラープリンタ等、カラー化が多くなってきている。このような、カラー電子写真装置には、１つのドラム形状の感光体のまわりに複数色の現像装置を備え、それらの現像装置でトナーを付着させて感光体上に合成カラートナー画像を形成し、そのトナー画像を転写してシートにカラー画像を記録する、所謂、１ドラム型のものと、順次に配列して、並べて備える複数の感光体にそれぞれ個別に現像装置を備え、各感光体上にそれぞれ単色トナー画像を作像し、それらの単色トナー画像を順次転写してシートに合成カラートナー画像を記録する、所謂、タンデム型のものが公知である。
そこで、１ドラム型とタンデム型とを比較すると、前者は、感光体が１つであるから、比較的小型化でき、コストも低減できる利点はあるものの、１つの感光体を用いて複数回、通常は４回の作像を繰り返してフルカラートナー画像を形成するから、フルカラートナー画像形成の高速化は困難である。
後者は、逆に大型化し、コスト高となる欠点はあるものの、フルカラートナー画像形成の高速化が容易である利点がある。
最近は、フルカラーも、モノクロ並みの作像スピードが望まれることから、タンデム型が注目されてきている。
【０００３】
図７と図８は従来のタンデム型画像形成装置の要部構成図であり、画像形成装置１００のタンデム型の電子写真装置は、図７に図示するように、各感光体１０１上のトナー画像を転写装置１０２により、シート搬送ベルト１０３で搬送する被転写体（Ｐ）のシートに順次転写する直接転写方式の画像形成装置１１０が公知である。
更に、図８に図示するように、各上記感光体１０１上のトナー画像を１次転写装置１２１により、一旦、中間転写体１２２に順次転写した後、上記中間転写体１２２上のトナー画像を２次転写装置１２３により被転写体（Ｐ）のシートに一括転写する間接転写方式の画像形成装置１２０が公知である。
上記２次転写装置１２３は転写搬送ベルトであるが、ローラ形状の方式もある。
上記直接転写方式の画像形成装置１１０と、上記間接転写方式の画像形成装置１２０とを比較すると、前者の上記直接転写方式の画像形成装置１１０は、上記感光体１０１を順次配列して並べたタンデム型の作像ユニットの上流側に給紙装置１０４を、下流側に定着装置１０５を配置しなければならず、被転写体（Ｐ）のシートの搬送方向に大型化する欠点がある。
これに対し、後者の上記間接転写方式の画像形成装置１２０は、上記２次転写装置１２３の２次転写位置を比較的自由に設置することができる。上記給紙装置１０４、及び、上記定着装置１０５をタンデム型の作像ユニットに重ねて配置することができ、小型化が可能となる利点がある。
又、前者の直接転写方式の画像形成装置１１０は、被転写体（Ｐ）のシートの搬送方向に大型化しないためには、上記定着装置１０５をタンデム型の作像ユニットに接近して配置することとなる。そのため、被転写体（Ｐ）のシートがたわむことができる十分な余裕をもって上記定着装置１０５を配置することができず、被転写体（Ｐ）のシートの先端が上記定着装置１０５に進入するときの衝撃、特に厚いシートで顕著となることや、上記定着装置１０５を通過するときの被転写体（Ｐ）のシートの搬送速度と、上記シート搬送ベルト１０３によるシート搬送速度との速度差により、上記定着装置１０５が上流側の画像形成に影響を及ぼしやすい欠点がある。
これに対し、後者の上記間接転写方式の画像形成装置１２０は、被転写体（Ｐ）のシートがたわむことができる十分な余裕をもって上記定着装置１０５を配置することができるから、上記定着装置１０５がほとんど画像形成に影響を及ぼさないようにすることができる。
【０００４】
以上のようなことから、最近は、上記画像形成装置１００のタンデム型の電子写真装置の中の、特に、上記間接転写方式の画像形成装置１２０が注目されてきている。
そして、上記間接転写方式の画像形成装置１２０のカラー電子写真装置では、図８に図示するように、上記１次転写装置１２１で１次転写後に上記感光体１０１上に残留する転写残トナーを、感光体クリーニング装置１０６で除去して上記感光体１０１の表面をクリーニングし、再度の画像形成に備えていた。
又、上記２次転写装置１２３で２次転写後に上記中間転写体１２２上に残留する転写残トナーを、中間転写体クリーニング装置１２４で除去して上記中間転写体１２２の表面をクリーニングし、再度の画像形成に備えていた。
【０００５】
ところで、画像形成装置１００のタンデム型のカラープリンタでは画像形成時、例えば、帯電装置１０７で帯電バイアスを印加する。すると、オゾンや窒素酸化物等の放電生成物が発生して、像担時体であるドラム状の上記感光体１０１に付着し、被転写体（Ｐ）のシート上に記録するカラートナー画像の画像品質を劣化させる。これは、像担時体であるドラム状の上記感光体１０１上に付着した放電生成物が空気中の水分を吸収し潜像を乱すために起きることが多く、湿度の高い環境においては、顕著に画像品質を劣化させる現象が起きる。但し、放電生成物が画像を劣化させる原因はこれだけではない。
そこで、電子写真装置の画像形成工程を繰り返し、イエロ−、マゼンタ、シアン、ブラックの各感光体の表面に放電生成物や紙粉などの異物が付着して画像欠陥が生ずるのを防ぐために、イエロ−、マゼンタ、シアン、ブラックの各感光体の表面の清浄工程、即ち、一定枚数の画像形成後、１度に行なう複数枚の画像形成終了後、装置の主電源オープン時、或いは、手動操作時等に、粗面化した表面を有する中間転写体等の線速度を落し、イエロ−、マゼンタ、シアン、ブラックの各感光体の表面の線速度との速度差により、両者を摺動させ、イエロ−、マゼンタ、シアン、ブラックの各感光体の表面に付着した異物を除去することも公知である（特許文献１参照）。
更に、例えば、電源投入時や所定枚数画像形成毎やトナーリカバリー動作中等の所定タイミングで、設定によっては所定湿度以上のとき、帯電装置を切って帯電バイアスをオフした状態にて像担持体を回転して、現像ユニットを駆動して、クリーニングブレードのめくれが生じない程度のトナーを像担持体に付着してから、その像担持体に付着する放電生成物等の付着物を、クリーニング装置のクリーニングブレードで掻き落して除去することも、同一出願人の発明者から提案されている。
【０００６】
然し、これらは、昨今は画像形成にかかわらない動作の待ち時間の長時間化への不満は多くなっているにも関わらず、像担持体に付着する放電生成物等の付着物の除去に要する動作を独立に行なうのではなく、電源投入時の待ち時間やトナーエンドリカバリー時等の待ち時間の種々な別の動作におりまぜて行われるので、画像形成に関わらない動作の待ち時間が、更に、長時間化していた。
従って、従来の画像形成装置は、カラー化等にともなって、大型で高コストとなり、作成する画像の画像品質を劣化させる悪影響を与えるオゾンや窒素酸化物等の放電生成物等の付着物を像担時体上から除去することも充分でなく、像担持体上に付着する放電生成物等の付着物の除去に要する時間が画像形成にかかわらない動作の待ち時間を更に長時間化して、フルカラートナー画像形成等が低速化すると言う不具合が生じていた。
【特許文献１】特開平１１−１５２２６号明細書
【発明の開示】
【発明が解決しようとする課題】
【０００７】
そこで本発明の課題は、このような問題点を解決するものである。即ち、像担持体上の放電生成物等の付着物の除去が、新たに待ち時間を長くすることなく、充分に行なわれ、小型で低コストで、高品質の画像形成が行なわれる画像形成装置を提供することを目的とする。
【課題を解決するための手段】
【０００８】
上記目的を達成するために、請求項１の本発明は、電子写真方式による複数の作像ユニットを順次に配列してトナー画像を形成する画像形成装置において、複数の作像ユニットを順次に配列して複数のトナー画像を作像する作像手段と、上記作像手段で作像されたトナー画像が転写手段で回動可能に保持されて中間転写される中間転写体と、上記中間転写体を選択して特定した作像ユニットの回転する像担持体に接離させる中間転写体接離手段と、上記中間転写体接離手段が選択して特定した上記作像ユニットの作像中に他の上記作像ユニットの上記像担持体上の付着物を除去する付着物除去手段とからなる画像形成装置であることを最も主要な特徴とする。
請求項２の本発明は、請求項１に記載の画像形成装置において、中間転写体接離手段は、作像ユニットからブラック作像ユニットを選択して特定する画像形成装置であることを主要な特徴とする。
請求項３の本発明は、請求項１に記載の画像形成装置において、中間転写体接離手段は、作像ユニットからマゼンタ作像ユニットを選択する画像形成装置であることを主要な特徴とする。
請求項４の本発明は、請求項１に記載の画像形成装置において、中間転写体接離手段は、作像ユニットからシアン作像ユニットを選択する画像形成装置であることを主要な特徴とする。
請求項５の本発明は、請求項１に記載の画像形成装置において、中間転写体接離手段は、作像ユニットからイエロー作像ユニットを選択する画像形成装置であることを主要な特徴とする。
請求項６の本発明は、請求項１、２、３、４又は５に記載の画像形成装置において、中間転写体接離手段は、上記中間転写体を選択する作像ユニットの像担持体に押圧する押圧部材からなる画像形成装置であることを主要な特徴とする。
【０００９】
請求項７の本発明は、請求項１、２、３、４、５又は６に記載の画像形成装置において、付着物除去手段は、上記中間転写体接離手段の選択した上記作像ユニットの作像中に他の上記作像ユニットの像担持体を回転させて、回転する上記像担持体上に現像手段で所定量のトナーを供給して付着させた後に、上記像担持体上の付着物をクリーニング手段によって除去する画像形成装置であることを主要な特徴とする。
請求項８の本発明は、請求項項７に記載の画像形成装置において、他の作像ユニットの現像手段のトナーの所定の供給量は、クリーニング手段のクリーニングブレードのめくれが生じない程度である画像形成装置であることを主要な特徴とする。
請求項９の本発明は、請求項項１、２、３、４、５、６、７又は８に記載の画像形成装置において、付着物除去手段は、上記中間転写体接離手段の選択した上記作像ユニットの作像中に他の上記作像ユニットの帯電器の帯電バイアス印加をオフにする画像形成装置であることを主要な特徴とする。
請求項１０の本発明は、請求項項１、２、３、４、５、６、７、８又は９に記載の画像形成装置において、付着物除去手段は、像担持体の回転速度を、作像時の回転速度に対して変更する画像形成装置であることを主要な特徴とする。
請求項１１の本発明は、請求項１、２、３、４、５、６、７、８、９又は１０に記載の画像形成装置において、付着物除去手段は、作像ユニットの最終の作像が終了して、少なくとも像担持体に放電生成物が付着するまでの所定時間の経過した後に付着物の除去を行なう画像形成装置であることを主要な特徴とする。
請求項１２の本発明は、請求項１乃至１１の何れか一項に記載の画像形成装置において、付着物除去手段は、上記中間転写体接離手段の選択した作像ユニットの作像時間に対して、他の作像ユニットの像担持体上の付着物を除去する付着物除去時間が同じ又は短い時に、上記像担持体上の付着物を除去する画像形成装置であることを主要な特徴とする。
【発明の効果】
【００１０】
上記のように構成された画像形成装置は、請求項１においては、複数の作像ユニットを順次に配列して複数のトナー画像を作像する作像手段で作像されたトナー画像が転写手段で回動可能に保持されて中間転写される中間転写体を、中間転写体接離手段によって選択して特定した作像ユニットの回転する像担持体に接離させて、選択して特定した作像ユニットの作像中に他の作像ユニットの像担持体上の付着物を付着物除去手段で除去する。
請求項２においては、複数の作像ユニットを順次に配列して複数のトナー画像を作像する作像手段で作像されたトナー画像が転写手段で回動可能に保持されて中間転写される中間転写体を、中間転写体接離手段によって選択して特定したブラック作像ユニットの回転する像担持体に接離させて、選択して特定したブラック作像ユニットの作像中に他の作像ユニットの像担持体上の付着物を付着物除去手段で除去する。
請求項３においては、複数の作像ユニットを順次に配列して複数のトナー画像を作像する作像手段で作像されたトナー画像が転写手段で回動可能に保持されて中間転写される中間転写体を、中間転写体接離手段によって選択して特定したマゼンタ作像ユニットの回転する像担持体に接離させて、選択して特定したマゼンタ作像ユニットの作像中に他の作像ユニットの像担持体上の付着物を付着物除去手段で除去する。
請求項４においては、複数の作像ユニットを順次に配列して複数のトナー画像を作像する作像手段で作像されたトナー画像が転写手段で回動可能に保持されて中間転写される中間転写体を、中間転写体接離手段によって選択して特定したシアン作像ユニットの回転する像担持体に接離させて、選択して特定したシアン作像ユニットの作像中に他の作像ユニットの像担持体上の付着物を付着物除去手段で除去する。
【００１１】
請求項５においては、複数の作像ユニットを順次に配列して複数のトナー画像を作像する作像手段で作像されたトナー画像が転写手段で回動可能に保持されて中間転写される中間転写体を、中間転写体接離手段によって選択して特定したイエロー作像ユニットの回転する像担持体に接離させて、選択して特定したイエロー作像ユニットの作像中に他の作像ユニットの像担持体上の付着物を付着物除去手段で除去する。
請求項６においては、複数の作像ユニットを順次に配列して複数のトナー画像を作像する作像手段で作像されたトナー画像が転写手段で回動可能に保持されて中間転写される中間転写体を、中間転写体接離手段の押圧部材によって選択して特定した作像ユニットの回転する像担持体に接離させて、選択して特定した作像ユニットの作像中に他の作像ユニットの像担持体上の付着物を付着物除去手段で除去する。
請求項７においては、複数の作像ユニットを順次に配列して複数のトナー画像を作像する作像手段で作像されたトナー画像が転写手段で回動可能に保持されて中間転写される中間転写体を、中間転写体接離手段によって選択して特定した作像ユニットの回転する像担持体に接離させて、選択して特定した作像ユニットの作像中に他の作像ユニットの像担持体上の付着物を付着物除去手段で中間転写体接離手段の選択した作像ユニットの作像中に他の作像ユニットの像担持体を回転させて、回転する像担持体上に現像手段で所定量のトナーを供給して付着させた後に、像担持体上の付着物をクリーニング手段によって除去する。
請求項８においては、複数の作像ユニットを順次に配列して複数のトナー画像を作像する作像手段で作像されたトナー画像が転写手段で回動可能に保持されて中間転写される中間転写体を、中間転写体接離手段によって選択して特定した作像ユニットの回転する像担持体に接離させて、選択して特定した作像ユニットの作像中に他の作像ユニットの像担持体上の付着物を付着物除去手段で中間転写体接離手段の選択した作像ユニットの作像中に他の作像ユニットの像担持体を回転させて、回転する像担持体上に現像手段でクリーニング手段のクリーニングブレードのめくれが生じない程度である所定量のトナーを供給して付着させた後に、像担持体上の付着物をクリーニング手段によって除去する。
【００１２】
請求項９においては、複数の作像ユニットを順次に配列して複数のトナー画像を作像する作像手段で作像されたトナー画像が転写手段で回動可能に保持されて中間転写される中間転写体を、中間転写体接離手段によって選択して特定した作像ユニットの回転する像担持体に接離させて、選択して特定した作像ユニットの作像中に他の作像ユニットの帯電器の帯電バイアス印加をオフにして像担持体上の付着物を付着物除去手段で除去する。
請求項１０においては、複数の作像ユニットを順次に配列して複数のトナー画像を作像する作像手段で作像されたトナー画像が転写手段で回動可能に保持されて中間転写される中間転写体を、中間転写体接離手段によって選択して特定した作像ユニットの回転する像担持体に接離させて、選択して特定した作像ユニットの作像中に他の作像ユニットの像担持体上の付着物を付着物除去手段で像担持体の回転速度を作像時の回転速度に対して変更して除去する。
請求項１１においては、複数の作像ユニットを順次に配列して複数のトナー画像を作像する作像手段で作像されたトナー画像が転写手段で回動可能に保持されて中間転写される中間転写体を、中間転写体接離手段によって選択して特定した作像ユニットの回転する像担持体に接離させて、選択して特定した作像ユニットの作像中に他の作像ユニットの像担持体上の付着物を付着物除去手段で作像ユニットの最終の作像が終了して少なくとも像担持体に放電生成物が付着するまでの所定時間の経過した後に除去する。
請求項１２においては、複数の作像ユニットを順次に配列して複数のトナー画像を作像する作像手段で作像されたトナー画像が転写手段で回動可能に保持されて中間転写される中間転写体を、中間転写体接離手段によって選択して特定した作像ユニットの回転する像担持体に接離させて、選択して特定した作像ユニットの作像中に他の作像ユニットの像担持体上の付着物を付着物除去手段で中間転写体接離手段の選択した作像ユニットの作像時間に対して他の作像ユニットの像担持体上の付着物を除去する付着物除去時間が同じ、又は、短い時に除去する。
【発明を実施するための最良の形態】
【００１３】
次に、本発明の実施の形態を図面を参照して詳細に説明する。
図１乃至図３は本発明の一実施形態に係る画像形成装置の内部構成図、画像形成部の構成図、中間転写体の断面図であり、において、電子写真方式による複数の作像ユニットを順次に配列してトナー画像を形成するタンデム型の画像形成装置０は、複数の作像ユニット１ａのブラック作像ユニット１ａ１、マゼンタ作像ユニット１ａ２、シアン作像ユニット１ａ３、イエロー作像ユニット１ａ４を順次に配列して複数のトナー画像を作像する作像手段１と、作像手段１で作像されたトナー画像が転写手段１ｅのブラック転写手段１ｅ１、マゼンタ転写手段１ｅ２、シアン転写手段１ｅ３、イエロー転写手段１ｅ４で回動可能に保持されて中間転写される無端ベルト状の中間転写体２と、中間転写体２を選択して特定したブラック作像ユニット１ａ１、マゼンタ作像ユニット１ａ２、シアン作像ユニット１ａ３、又は、イエロー作像ユニット１ａ４の回転する像担持体１ｂのブラック像担持体１ｂ１のドラム形状の感光体、マゼンタ像担持体１ｂ２のドラム形状の感光体、シアン像担持体１ｂ３のドラム形状の感光体、又は、イエロー像担持体１ｂ４のドラム形状の感光体に接離させる中間転写体接離手段３の押圧部材３ａのブラック押圧部材３ａ１、マゼンタ押圧部材３ａ２、シアン押圧部材３ａ３、又は、イエロー押圧部材３ａ４と、中間転写体接離手段３の押圧部材３ａのブラック押圧部材３ａ１、マゼンタ押圧部材３ａ２、シアン押圧部材３ａ３、又は、イエロー押圧部材３ａ４が選択して特定した作像ユニット１ａの作像中に他の作像ユニット１ａのブラック作像ユニット１ａ１、マゼンタ作像ユニット１ａ２、シアン作像ユニット１ａ３、又は、イエロー作像ユニット１ａ４のブラック像担持体１ｂ１のドラム形状の感光体、マゼンタ像担持体１ｂ２のドラム形状の感光体、シアン像担持体１ｂ３のドラム形状の感光体、又は、イエロー像担持体１ｂ４のドラム形状の感光体上の付着物を除去する付着物除去手段４とからなり、ブラック像担持体１ｂ１のドラム形状の感光体、マゼンタ像担持体１ｂ２のドラム形状の感光体、シアン像担持体１ｂ３のドラム形状の感光体、又は、イエロー像担持体１ｂ４のドラム形状の感光体上の放電生成物等の付着物の除去が、新たに待ち時間を長くすることなく、充分に行なわれ、小型で低コストで、高品質の画像形成が行なわれるようになっている。
【００１４】
上記画像形成装置０は、作像手段１、作像手段１を載せる給紙テーブル１０、作像手段１上に取り付けるスキャナ２０、更に、その上に取り付ける原稿自動搬送装置（ＡＤＦ）３０で構成されている。
作像手段１には、中央に、無端ベルト状の上記中間転写体２の中間転写ベルト２ａを設ける。
上記中間転写ベルト２ａは、ベース層２ａ１を、例えば、伸びの少ないフッ素系樹脂や伸びの大きなゴム材料に帆布などの伸びにくい材料で構成された基層をつくり、その上に弾性層２ａ２を設け、上記弾性層２ａ２は、例えば、フッ素系ゴムやアクリロニトリル−ブタジエン共重合ゴムなどでつくり、その上記弾性層２ａ２の表面は、例えば、フッ素系樹脂をコーティングして平滑性のよいコート層２ａ３で被っている（図３を参照）。
そして、中間転写ベルト２ａは、３つの支持ローラ２ｂ、支持ローラ２ｃ、支持ローラ２ｄに掛け回して、図示の矢印（Ａ）方向の時計回り方向に回転搬送可能に支持されている。
３つの支持ローラ２ｂ、支持ローラ２ｃ、支持ローラ２ｄのなかで、第２の支持ローラ２ｃの左に、画像転写後に中間転写ベルト２ａ上に残留する残留トナーを除去する中間転写体クリーニング装置２ｅが配置されている。
又、３つのなかで第１の支持ローラ２ｂと第２の支持ローラ２ｃ間に張り渡した中間転写ベルト２ａ上には、その搬送方向に沿って、４つのブラック作像ユニット１ａ１、マゼンタ作像ユニット１ａ２、シアン作像ユニット１ａ３、イエロー作像ユニット１ａ４を順次に横に並べて配置したタンデム型の上記作像ユニット１ａを構成する。
タンデム型の上記作像ユニット１ａの上には、更に、露光手段１ｇが配置されている。
一方、中間転写ベルト２ａを挟んでタンデム型の上記作像ユニット１ａと反対の側には、２次転写手段５を備える。
【００１５】
上記２次転写手段５の無端ベルトである２次転写ベルト５ａは、ローラ５ｂとローラ５ｃ間に掛け渡して構成し、中間転写ベルト２ａを介して第３の支持ローラ２ｄに押し当てて配置し、中間転写ベルト２ａ上のトナー画像を被転写体（Ｐ）の転写用紙に転写する。
上記２次転写手段５の横には、被転写体（Ｐ）の転写用紙上の転写トナー画像を定着する定着手段６を設ける。上記定着手段６は、無端ベルトである定着ベルト６ａに加圧ローラ６ｂを押し当てて構成する。
上記２次転写手段５には、トナー画像転写後の被転写体（Ｐ）の転写用紙を上記定着手段６へと搬送するシート搬送機能も備えてなる。もちろん、上記２次転写手段５として、転写ローラや非接触のチャージャを配置してもよく、そのような場合は、このシート搬送機能を併せて備えることは難しくなる。
更には、上記２次転写手段５、及び、上記定着手段６の下に、上記作像ユニット１ａと平行に、被転写体（Ｐ）の転写用紙の両面にトナー画像を記録すべく被転写体（Ｐ）の転写用紙を反転する反転手段７を備えている。
さて、上記画像形成装置０を用いてトナー画像を形成するときは、上記原稿自動搬送装置（ＡＤＦ）３０の原稿台３１上に原稿（Ｏ）をセットする。又は、上記原稿自動搬送装置（ＡＤＦ）３０前面側を図示の矢印（Ｂ）方向に開いて、上記スキャナ２０のコンタクトガラス２１上に原稿（Ｏ）をセットし、上記原稿自動搬送装置（ＡＤＦ）３０を閉じて、それで押さえる。
そして、不図示の電源をＯＮしてスタートスイッチを押すと、上記原稿自動搬送装置（ＡＤＦ）３０に原稿をセットしたときは、原稿（Ｏ）を搬送して上記コンタクトガラス２１上へと移動した後、他方上記コンタクトガラス２１上に原稿（Ｏ）をセットしたときは、直ちにスキャナ２０を駆動し、第１走行体２２、及び、第２走行体２３が走行する。
【００１６】
上記第１走行体２２で光源２２ａから光を発射するとともに原稿（Ｏ）面からの反射光をさらに反射して上記第２走行体２３に向け、上記第２走行体２３のミラー２３ａで反射して結像レンズ２４を通して読取りセンサ２５に入れ、原稿（Ｏ）の内容を読み取る。
又、不図示の電源をＯＮしてスタートスイッチを押すと、不図示の駆動モータで、支持ローラ２ｂ、支持ローラ２ｃ、支持ローラ２ｄの１つを回転駆動して他の２つを従動回転し、中間転写ベルト２ａを回転搬送する。
同時に、タンデム型の作像ユニット１ａの順次に横に並べて配置したブラック作像ユニット１ａ１、マゼンタ作像ユニット１ａ２、シアン作像ユニット１ａ３、イエロー作像ユニット１ａ４の各像担持体１ｂ１、１ｂ２、１ｂ３、１ｂ４を回転して、各ブラック帯電器１ｃ１、マゼンタ帯電器１ｃ２、シアン帯電器１ｃ３、イエロー帯電器１ｃ４により一様に帯電された表面に露光手段１ｇで形成された各潜像を現像手段１ｄ１、１ｄ２、１ｄ３、１ｄ４により、各像担持体１ｂ１、１ｂ２、１ｂ３、１ｂ４上にそれぞれ、ブラック、マゼンタ、シアン、イエローの単色トナー画像を形成する。
そして、中間転写ベルト２ａの搬送とともに、それらの単色トナー画像をブラック転写手段１ｅ１、マゼンタ転写手段１ｅ２、シアン転写手段１ｅ３、イエロー転写手段１ｅ４で順次転写して中間転写ベルト２ａ上に合成カラートナー画像を形成する。
中間転写ベルト２ａ上に、それらの単色トナー画像を順次転写した各像担持体１ｂ１、１ｂ２、１ｂ３、１ｂ４上に残留して付着した転写残トナー等の付着物を各クリーニングブレード１ｆ１１、１ｆ２１、１ｆ３１、１ｆ４１により掻き落されて除去されて、次工程のトナー画像の形成に備えるようになっている。
【００１７】
一方、不図示の電源をＯＮしてスタートスイッチを押すと、上記給紙テーブル１０の給紙ローラ１１の１つを選択回転し、ペーパーバンク１２に多段に備える給紙カセット１３の１つから被転写体（Ｐ）の転写用紙を繰り出し、分離ローラ１４で１枚ずつ分離して給紙路１５に入れ、搬送ローラ１６で搬送して上記作像手段１内の給紙路８に導き、レジストローラ８ａに突き当てて止める。
又は、給紙ローラ８ｂを回転して手差しトレイ８ｃ上の被転写体（Ｐ）の転写用紙を繰り出し、分離ローラ８ｄで１枚ずつ分離して手差し給紙路８ｅに入れ、同じく上記レジストローラ８ａに突き当てて止める。
そして、中間転写ベルト２ａ上の合成カラーのトナー画像にタイミングを合わせて上記レジストローラ８ａを回転し、中間転写ベルト２ａと上記２次転写手段５の上記２次転写ベルト５ａとの間に被転写体（Ｐ）の転写用紙を送り込み、上記２次転写手段５で転写して被転写体（Ｐ）の転写用紙上にカラーのトナー画像を形成する。
トナー画像転写後の被転写体（Ｐ）の転写用紙は、上記２次転写手段５で搬送して上記定着手段６へと送り込み、上記定着手段６で熱と圧力とを加えて転写トナー画像を定着して後、切換爪６ｃで切り換えて排出ローラ６ｄで排出し、排紙トレイ９上にスタックする。
又は、上記切換爪６ｃで切り換えて上記反転手段７に入れ、そこで反転して再び転写位置へと導き、裏面にもトナー画像を形成して後、上記排出ローラ６ｄで上記排紙トレイ９上に排出する。
一方、トナー画像転写後の中間転写ベルト２ａは、上記中間転写体クリーニング装置２ｅで、トナー画像転写後に中間転写ベルト２ａ上に残留する残留トナーを除去し、タンデム型の上記作像ユニット１ａによる再度のトナー画像形成に備える。
ここで、上記レジストローラ８ａは一般的には接地されて使用されることが多いが、被転写体（Ｐ）の紙粉除去のためにバイアスを印加することも可能である。
【００１８】
図４乃至図６は本発明の他の実施形態の説明図であり、タンデム型の上記作像ユニット１ａの順次に横に並べて配置したブラック作像ユニット１ａ１、マゼンタ作像ユニット１ａ２、重複部分が多くなるので一部の図示を省略したシアン作像ユニット１ａ３、同様に重複部分が多くなるので一部の図示を省略したイエロー作像ユニット１ａ４において、各像担持体１ｂ１、１ｂ２、１ｂ３、１ｂ４の周囲には、各帯電器１ｃ１、１ｃ２、１ｃ３、１ｃ４と、各現像手段１ｄ１、１ｄ２、１ｄ３、１ｄ４と、転写手段１ｅ１、１ｅ２、１ｅ３、１ｅ４と、各クリーニングブレード１ｆ１１、１ｆ２１、１ｆ３１、１ｆ４１と、除電器１ｈ１、１ｈ２、１ｈ３、１ｈ４等を備えている（図４を参照）。
上記中間転写体接離手段３の上記押圧部材３ａのブラック押圧部材３ａ１、マゼンタ押圧部材３ａ２、シアン押圧部材３ａ３、イエロー押圧部材３ａ４は、上記付着物除去手段４の特定によって、図示しない駆動源で回動する偏心カム３ｂのブラック偏心カム３ｂ１、マゼンタ偏心カム３ｂ２、シアン偏心カム３ｂ３、イエロー偏心カム３ｂ４の回動で上下して、上記転写手段１ｅの各ブラック転写手段１ｅ１、マゼンタ転写手段１ｅ２、シアン転写手段１ｅ３、イエロー転写手段１ｅ４を、各像担持体１ｂ１、１ｂ２、１ｂ３、１ｂ４を簡単な構造で選択して押圧する動作が確実に行なわれるようになっている（図４を参照）。
【００１９】
上記付着物除去手段４は、ＣＰＵ４ａにより、タンデム型の作像ユニット１ａの順次に横に並べて配置した各ブラック作像ユニット１ａ１、マゼンタ作像ユニット１ａ２、シアン作像ユニット１ａ３、イエロー作像ユニット１ａ４における各像担持体１ｂ１、１ｂ２、１ｂ３、１ｂ４に付着した放電生成物等の付着物を除去させるために、各ブラック帯電器１ｃ１、マゼンタ帯電器１ｃ２、シアン帯電器１ｃ３、又は、イエロー帯電器１ｃ４の帯電バイアス印加をオフ（ＯＦＦ）にして放電生成物等の付着をなくした状態にして、各像担持体１ｂ１、１ｂ２、１ｂ３、１ｂ４を図示しない駆動源で回転駆動して、各像担持体１ｂ１、１ｂ２、１ｂ３、１ｂ４に各現像手段１ｄ１、１ｄ２、１ｄ３、１ｄ４でクリーニングブレード１ｆ１１、１ｆ２１、１ｆ３１、１ｆ４１のめくれが生じない程度のトナーを付着し、各像担持体１ｂ１、１ｂ２、１ｂ３、１ｂ４に付着する放電生成物等の付着物をクリーニングブレード１ｆ１１、１ｆ２１、１ｆ３１、１ｆ４１で更に充分に除去する付着物除去動作を、更に耐久性に優れ、確実に実行させるようになっている（図５を参照）。
上記付着物除去手段４の付着物除去動作を、タンデム型の上記作像ユニット１ａの選択して特定したブラック作像ユニット１ａ１のブラックトナー画像の作像中の場合について具体的に説明する。
【００２０】
中間転写体接離手段３のブラック押圧部材３ａ１、マゼンタ押圧部材３ａ２、シアン押圧部材３ａ３、イエロー押圧部材３ａ４によって、中間転写ベルト２ａは、ブラック押圧部材３ａ１の図示の矢印（Ｃ）方向の回動により、選択して特定したブラック作像ユニット１ａ１のブラック像担持体１ｂ１のドラム形状の感光体に当接するが、他のマゼンタ作像ユニット１ａ２、シアン作像ユニット１ａ３、及び、イエロー作像ユニット１ａ４における各像担持体１ｂ１、１ｂ２、１ｂ３、１ｂ４から、図示の矢印（Ｄ）方向に離間する（図４を参照）。
このことにより、ブラック作像ユニット１ａ１でブラック像担持体１ｂ１のドラム形状の感光体がブラックのトナー画像の作像中に、他のマゼンタ作像ユニット１ａ２、シアン作像ユニット１ａ３、及び、イエロー作像ユニット１ａ４におけるマゼンタ像担持体１ｂ２のドラム形状の感光体、シアン像担持体１ｂ３のドラム形状の感光体、及び、イエロー像担持体１ｂ４のドラム形状の感光体に作像しても中間転写ベルト２ａに転写されることはなく、ブラック作像ユニット１ａ１のブラック像担持体１ｂ１のドラム形状の感光体の作像とは独立して動作をすることが可能となる。
従って、このことにより、実際のブラック作像ユニット１ａ１でブラック像担持体１ｂ１のドラム形状の感光体がブラックのトナー画像の作像中の動作中にかかわらず、他のマゼンタ像担持体１ｂ２のドラム形状の感光体、シアン像担持体１ｂ３のドラム形状の感光体、及び、イエロー像担持体１ｂ４のドラム形状の感光体に対して付着物除去動作が行なわれても、放電生成物等の付着物の除去が、新たに待ち時間を長くすることなく、充分に行なわれ、小型で低コストで、高品質の画像形成が行なわれる上記画像形成装置０を提供することが出来るようになった。
尚、タンデム型の上記作像ユニット１ａを選択して特定した、ブラック作像ユニット１ａ１のブラックトナー画像の作像中の場合について説明したが、マゼンタ作像ユニット１ａ２、シアン作像ユニット１ａ３、又は、イエロー作像ユニット１ａ４を選択して特定した場合も同様であり、それらの説明が重複するので、以下のそれらの説明は省略する。
【００２１】
上記付着物除去手段４は、各像担持体１ｂ１、１ｂ２、１ｂ３、１ｂ４の感光体の回転速度を、作像時の回転速度に対して変更することが可能になっている。即ち、各像担持体１ｂ１、１ｂ２、１ｂ３、１ｂ４の回転速度を独立にしてあるので、実際のブラック像担持体１ｂ１の感光体の駆動とは別の駆動を行なうことが可能となる。
駆動を独立するには、図示しない駆動源を別に設けてもよいし、図示しない駆動源をクラッチなどを介して与えるようにしてもよい。
従って、このことによりブラック像担持体１ｂ１のドラム形状の感光体とは独立して、他のマゼンタ像担持体１ｂ２のドラム形状の感光体、シアン像担持体１ｂ３のドラム形状の感光体、及び、イエロー像担持体１ｂ４のドラム形状の感光体の回転速度を別の動きが可能となり、付着物の除去に対して最適な回転速度の動きをもって動作させることが可能となり、付着物の除去動作が効率良く短時間で行なわれる。
例えば、他のマゼンタ像担持体１ｂ２のドラム形状の感光体、シアン像担持体１ｂ３のドラム形状の感光体、及び、イエロー像担持体１ｂ４のドラム形状の感光体を正逆回転をさせたり、断続的な動きで回転させたり、回転速度を上げてクリーニングブレード１ｆ１１、１ｆ２１、１ｆ３１、１ｆ４１との接触回数を同一時間あたりで増やすようにすることも有効である。
上記付着物除去手段４は、タンデム型の上記作像ユニット１ａの順次に横に並べて配置した各ブラック作像ユニット１ａ１、マゼンタ作像ユニット１ａ２、シアン作像ユニット１ａ３、イエロー作像ユニット１ａ４の最終の作像が終了して、少なくとも、各像担持体１ｂ１、１ｂ２、１ｂ３、１ｂ４の感光体に放電生成物が付着するまでの所定時間が経過した後に、付着物の除去を実行するようになっているから、各像担持体１ｂ１、１ｂ２、１ｂ３、１ｂ４のドラム形状の感光体上放電生成物が堆積する時間を条件として付着物除去動作を開始するために、付着物除去動作の回数が減少して耐久性が優れるようになった。
【００２２】
これは、放電生成物が各像担持体１ｂ１、１ｂ２、１ｂ３、１ｂ４のドラム形状の感光体に付着するまでに時間がかかるためであり、付着するまえに行う除去動作は全くの無駄となり必要以上に、各像担持体１ｂ１、１ｂ２、１ｂ３、１ｂ４をクリーニングブレード１ｆ１１、１ｆ２１、１ｆ３１、１ｆ４１で削ることになり感光体の耐久性の寿命に悪影響を及ぼす。
放電生成物が、各像担持体１ｂ１、１ｂ２、１ｂ３、１ｂ４の感光体に付着するのは、タンデム型の上記作像ユニット１ａの順次に横に並べて配置した各ブラック作像ユニット１ａ１、マゼンタ作像ユニット１ａ２、シアン作像ユニット１ａ３、イエロー作像ユニット１ａ４内を漂う放電生成物が各像担持体１ｂ１、１ｂ２、１ｂ３、１ｂ４のドラム形状の感光体に降り注ぎ落ち着くまでに時間がかかるためである。
この時間は、タンデム型の上記作像ユニット１ａの順次に横に並べて配置した各ブラック作像ユニット１ａ１、マゼンタ作像ユニット１ａ２、シアン作像ユニット１ａ３、イエロー作像ユニット１ａ４の大きさや上記帯電器１ｃの各ブラック帯電器１ｃ１、マゼンタ帯電器１ｃ２、シアン帯電器１ｃ３、イエロー帯電器１ｃ４の帯電バイアス等で異なりユニットによって異なる時間であり各ブラック作像ユニット１ａ１、マゼンタ作像ユニット１ａ２、シアン作像ユニット１ａ３、イエロー作像ユニット１ａ４のひとつひとつがもつ特有の時間である。
上記付着物除去手段４は、上記中間転写体接離手段３の選択して特定した上記作像ユニット１ａの、例えば、ブラック作像ユニット１ａ１の作像時間に対して、他のマゼンタ作像ユニット１ａ２、シアン作像ユニット１ａ３、イエロー作像ユニット１ａ４におけるマゼンタ像担持体１ｂ２のドラム形状の感光体、シアン像担持体１ｂ３のドラム形状の感光体、及び、イエロー像担持体１ｂ４のドラム形状の感光体上の付着物を除去する付着物除去時間が同じ、又は、短い時に、マゼンタ像担持体１ｂ２のドラム形状の感光体、シアン像担持体１ｂ３のドラム形状の感光体、及び、イエロー像担持体１ｂ４のドラム形状の感光体上の付着物を除去するようになっている。
即ち、付着物除去動作時間と作像に要する時間とを比較して、作像時間が付着除去動作時間以上のときに動作が入るようにする。作像に必要とする時間は、図示しないスタートキーを押すまでの設定で計算でき付着微津除去動作時間と比較することが可能である。
このことにより、確実に付着物除去動作が作像中に終わり、放電生成物等の付着物の除去が、新たに待ち時間を長くすることなく、充分に行なわれ、小型で低コストで、高品質の画像形成が行なわれる上記画像形成装置０を提供することが出来るようになった。
【００２３】
上記画像形成装置０において、タンデム型の上記作像ユニット１ａの順次に横に並べて配置した各ブラック作像ユニット１ａ１、マゼンタ作像ユニット１ａ２、シアン作像ユニット１ａ３、イエロー作像ユニット１ａ４における各像担持体１ｂ１、１ｂ２、１ｂ３、１ｂ４の感光体上の放電生成物等の付着物の除去が、新たに待ち時間を長くすることなく、更に充分に行なわれ、更に耐久性にも優れ、小型で低コストで、高品質の画像形成が行なわれるために、上記付着物除去手段４は、電源をＯＮにより（ステップ１）、作像ユニット１ａの最終の作像が終了してから所定時間を、少なくとも、像担持体１ｂに放電生成物が付着するまでの時間を経過しているかを判断して（ステップ２）、所定時間を経過していなければ（ステップ２）に戻るが、所定時間を経過していれば、上記作像ユニット１ａが選択されて特定されたかを判断して（ステップ３）、特定されていなければ（ステップ３）に戻るが、特定されていれば、上記中間転写体接離手段３の選択により特定した上記作像ユニット１ａの作像時間に対して、他の上記作像ユニット１ａの上記像担持体１ｂ上の付着物を除去する付着物除去時間が同じか、又は、短いかを判断して（ステップ４）、特定した上記作像ユニット１ａの作像時間に対して付着物除去時間が同じか、又は、短くなければ付着物の除去を行なわないで終了するが、特定した上記作像ユニット１ａの作像時間に対して付着物除去時間が同じ、又は、短いならば、他の上記作像ユニット１ａの上記像担持体１ｂから上記中間転写ベルト２ａが離間しているかを判断して（ステップ５）、他の上記作像ユニット１ａの上記像担持体１ｂから上記中間転写ベルト２ａが離間していなければ（ステップ５）に戻るが、他の上記作像ユニット１ａの上記像担持体１ｂから上記中間転写ベルト２ａが離間していれば、他の上記作像ユニット１ａの帯電器１ｃの帯電バイアス印加をオフ（ＯＦＦ）にして放電生成物等の付着をなくした状態にして（ステップ６）、他の上記作像ユニット１ａの上記像担持体１ｂを駆動源で回転駆動して（ステップ７）、他の像担持体１ｂに上記現像手段１ｄで上記クリーニング手段１ｆの各ブラック・クリーニング手段１ｆ１の上記クリーニング・上記ブレード１ｆ１１、マゼンタ・クリーニング手段１ｆ２の上記クリーニングブレード１ｆ２１、シアン・クリーニング手段１ｆ３の上記クリーニングブレード１ｆ３１、イエロー・クリーニング手段１ｆ４の上記クリーニングブレード１ｆ４１のめくれが生じない程度のトナーを付着して（ステップ８）、他の上記作像ユニット１ａの上記像担持体１ｂに付着する放電生成物等の付着物を上記クリーニング手段１ｆで除去して（ステップ９）、終了するようになっている（図６参照）。
【００２４】
本発明は、以上説明したように構成されているので、請求項１の発明によれば、像担持体上の放電生成物等の付着物の除去が、新たに待ち時間を長くすることなく、充分に行なわれ、小型で低コストで、高品質の画像形成が行なわれる画像形成装置を提供することが出来るようになった。
請求項２の発明によれば、ブラック作像ユニットでブラックトナー画像が作像中において、ブラック作像ユニット以外の像担持体上の放電生成物等の付着物の除去が、新たに待ち時間を長くすることなく、充分に行なわれ、小型で低コストで、高品質の画像形成が行なわれる画像形成装置を提供することが出来るようになった。
請求項３の発明によれば、マゼンタ作像ユニットでマゼンタトナー画像が作像中において、マゼンタ作像ユニット以外の像担持体上の放電生成物等の付着物の除去が、新たに待ち時間を長くすることなく、充分に行なわれ、小型で低コストで、高品質の画像形成が行なわれる画像形成装置を提供することが出来るようになった。
請求項４の発明によれば、シアン作像ユニットでシアントナー画像が作像中において、シアン作像ユニット以外の像担持体上の放電生成物等の付着物の除去が、新たに待ち時間を長くすることなく、充分に行なわれ、小型で低コストで、高品質の画像形成が行なわれる画像形成装置を提供することが出来るようになった。
請求項５の発明によれば、イエロー作像ユニットでイエロートナー画像が作像中において、イエロー作像ユニット以外の像担持体上の放電生成物等の付着物の除去が、新たに待ち時間を長くすることなく、充分に行なわれ、小型で低コストで、高品質の画像形成が行なわれる画像形成装置を提供することが出来るようになった。
請求項６の発明によれば、簡単な構造で像担持体を選択して押圧する動作が確実に行なわれ、像担持体上の放電生成物等の付着物の除去が、新たに待ち時間を長くすることなく、充分に行なわれ、小型で低コストで、高品質の画像形成が行なわれる画像形成装置を提供することが出来るようになった。
【００２５】
請求項７の発明によれば、像担持体上の放電生成物等の付着物の除去が、新たに待ち時間を長くすることなく、更に、充分に行なわれ、耐久性に優れ、小型で低コストで、高品質の画像形成が行なわれる画像形成装置を提供することが出来るようになった。
請求項８の発明によれば、像担持体上の放電生成物等の付着物の除去が、新たに待ち時間を長くすることなく、更に充分に行なわれ、更に耐久性に優れ、小型で低コストで、高品質の画像形成が行なわれる画像形成装置を提供することが出来るようになった。
請求項９の発明によれば、放電生成物等の付着をなくして、像担持体上の放電生成物等の付着物の除去が、新たに待ち時間を長くすることなく、更に充分に行なわれ、小型で低コストで、高品質の画像形成が行なわれる画像形成装置を提供することが出来るようになった。
請求項１０の発明によれば、像担持体上の放電生成物等の付着物の除去が、新たに待ち時間を長くすることなく、効率良く短時間で充分に行なわれ、小型で低コストで、高品質の画像形成が行なわれる画像形成装置を提供することが出来るようになった。
請求項１１の発明によれば、像担持体上の放電生成物等の付着物の除去が、新たに待ち時間を長くすることなく、除去動作回数が減少して耐久性に優れ、充分に行なわれ、小型で低コストで、高品質の画像形成が行なわれる画像形成装置を提供することが出来るようになった。
請求項１２の発明によれば、確実に付着物除去動作が作像中に終わり、像担持体上の放電生成物等の付着物の除去が、新たに待ち時間を長くすることなく、充分に行なわれ、小型で低コストで、高品質の画像形成が行なわれる画像形成装置を提供することが出来るようになった。
【図面の簡単な説明】
【００２６】
【図１】本発明の実施の形態例を示す画像形成装置の概略を説明する説明図である。
【図２】本発明の実施の形態例を示す画像形成装置の主要部を説明する拡大図である。
【図３】本発明の実施の形態例を示す画像形成装置の他の主要部を説明する拡大図である。
【図４】本発明の実施の形態例を示す画像形成装置の他の主要部を説明する拡大図である。
【図５】本発明の実施の形態例を示す画像形成装置の他の主要部を説明するブロック図である。
【図６】本発明の実施の形態例を示す画像形成装置の他の主要部の動作を説明するフローチャートである。
【図７】従来の画像形成装置の主要部を説明する説明図である。
【図８】従来の他の画像形成装置の主要部を説明する説明図である。
【符号の説明】
【００２７】
０  画像形成装置
１  作像手段、１ａ  作像ユニット、１ａ１  ブラック作像ユニット、
１ａ２  マゼンタ作像ユニット、
１ａ３  シアン作像ユニット、
１ａ４  イエロー作像ユニット、
１ｂ  像担持体、１ｂ１  ブラック像担持体、
１ｂ２  マゼンタ像担持体、
１ｂ３  シアン像担持体、
１ｂ４  イエロー像担持体、
１ｃ  帯電器、１ｃ１  ブラック帯電器、
１ｃ２  マゼンタ帯電器、
１ｃ３  シアン帯電器、
１ｃ４  イエロー帯電器、
１ｄ  現像手段、１ｄ１  ブラック現像手段、
１ｄ２  マゼンタ現像手段、
１ｄ３  シアン現像手段、
１ｄ４  イエロー現像手段、
１ｅ  転写手段、１ｅ１  ブラック転写手段、
１ｅ２  マゼンタ転写手段、
１ｅ３  シアン転写手段、
１ｅ４  イエロー転写手段、
１ｆ  クリーニング手段、
１ｆ１  ブラック・クリーニング手段、
１ｆ１１  クリーニングブレード、
１ｆ２  マゼンタ・クリーニング手段、
１ｆ２１  クリーニングブレード、
１ｆ３  シアン・クリーニング手段、
１ｆ３１  クリーニングブレード、
１ｆ４  イエロー・クリーニング手段、
１ｆ４１  クリーニングブレード、
１ｇ  露光手段、
１ｈ  除電手段、１ｈ１  ブラック除電器、
１ｈ２  マゼンタ除電器、
１ｈ３  シアン除電器、
１ｈ４  イエロー除電器
２  中間転写体、２ａ  中間転写ベルト、２ａ１  ベース層、
２ａ２  弾性層、
２ａ３  コート層、
２ｂ  支持ローラ、
２ｃ  支持ローラ、
２ｄ  支持ローラ、
２ｅ  中間転写体クリーニング装置
３  中間転写体接離手段、３ａ  押圧部材、３ａ１  ブラック押圧部材、
３ａ２  マゼンタ押圧部材、
３ａ３  シアン押圧部材、
３ａ４  イエロー押圧部材、
３ｂ  偏心カム、３ｂ１  ブラック偏心カム、
３ｂ２  マゼンタ偏心カム、
３ｂ３  シアン偏心カム、
３ｂ４  イエロー偏心カム
４  付着物除去手段、４ａ  ＣＰＵ、
５  ２次転写手段、５ａ  ２次転写ベルト、
５ｂ  ローラ、
５ｃ  ローラ、
６  定着手段、６ａ  定着ベルト、
６ｂ  加圧ローラ、
６ｃ  切換爪、
６ｄ  排出ローラ、
７  反転手段
８  給紙路、８ａ  レジストローラ、
８ｂ  給紙ローラ、
８ｃ  手差しトレイ、
８ｄ  分離ローラ、
８ｅ  手差し給紙路、
９  排紙トレイ、
１０  給紙テーブル、
１１  給紙ローラ、
１２  ペーパバンク、
１３  給紙カセット、
１４  分離ローラ、
１５  給紙路、
１６  搬送ローラ、
２０  スキャナ、
２１  コンタクトガラス、
２２  第１走行体、２２ａ  光源、
２３  第２走行体、２３ａ  ミラー、
２４  結像レンズ、
２５  読取りセンサ、
３０  原稿自動搬送装置（ＡＤＦ）、
３１  原稿台、
１００  画像形成装置、
１０１  感光体、
１０２  転写装置、
１０３  シート搬送ベルト、
１０４  給紙装置、
１０５  定着装置、
１０６  感光体クリーニング装置、
１０７  帯電器、
１１０  画像形成装置、
１２０  画像形成装置、
１２１  １次転写装置、
１２２  中間転写体、
１２３  ２次転写装置、
１２４  中間転写体クリーニング装置
【図１】
2008282043.tif 000003
【図２】
2008282043.tif 000004
【図３】
2008282043.tif 000005
【図４】
2008282043.tif 000006
【図５】
2008282043.tif 000007
【図６】
2008282043.tif 000008
【図７】
2008282043.tif 000009
【図８】
2008282043.tif 000010
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
像担持体と、該像担持体をクリーニングするクリーニングブレードとを有する作像ユニットを複数配列してトナー画像を形成する画像形成装置において、
上記複数の作像ユニットを配列してトナー画像を作像する作像手段と、
上記複数の作像ユニットに対向する位置に配置された転写ベルトと、
上記複数の作像ユニットのうちいずれかの作像ユニットを特定するとともに、特定された作像ユニットの像担持体に対して上記転写ベルトを接離させる接離手段と、を有し、
上記特定された作像ユニットの作像中に、上記転写ベルトは、上記作像中の作像ユニットの像担持体に対して上記接離手段により押圧され、かつ、他の作像ユニットの像担持体に対しては離間されているとともに、上記他の作像ユニットの像担持体が回転されて該像担持体上の付着物が除去されることを特徴とする画像形成装置。
【請求項２】
請求項１に記載の画像形成装置において、
上記接離手段は、上記複数の作像ユニットに対応して設けられる複数の押圧部材からなることを特徴とする画像形成装置。
【請求項３】
請求項１又は２に記載の画像形成装置において、
上記他の作像ユニットの像担持体が回転されている状態で上記像担持体上に現像手段により所定量のトナーが供給されることを特徴とする画像形成装置。
【請求項４】
請求項１，２又は３のいずれか一項に記載の画像形成装置において、
上記各像担持体の回転速度が、作像時の回転速度に対して変更されることを特徴とする画像形成装置。